(57)【要約】【課題】暗い環境下での使用時の安全性を向上できる三脚を提供すること。【解決手段】三脚１０は、基部２１と、基部２１に回転可能に支持される３本の脚３０と、脚３０のそれぞれの先端に設けられ、少なくとも一部に第２の蓄光部５１を含む石突３５と、を備える。【選択図】      図４
2018138976.tif 000002
【特許請求の範囲】
【請求項１】
基部と、
前記基部に回転可能に支持される３本の脚と、
前記脚のそれぞれの先端に設けられ、少なくとも一部に石突用蓄光部を含む石突と、
を具備する三脚。
【請求項２】
雲台と、
前記雲台に設けられ、少なくとも一部に操作部用蓄光部を含む雲台用操作部と、
を具備する請求項１に記載の三脚。
【請求項３】
前記雲台用操作部は、前記雲台に着脱可能な棒部、前記棒部の端部に設けられた把持部、及び、前記把持部の前記棒部の軸方向の両端の少なくとも一方に設けられた前記操作部用蓄光部を具備するパン棒である請求項２に記載の三脚。
【請求項４】
前記脚は、伸縮可能に構成され、複数の脚部材、及び、前記脚部材を固定するロック機構を具備し、
前記ロック機構は、ロック機構用蓄光部を少なくとも一部に含むロック機構用操作部を具備する請求項１乃至請求項３のいずれか１項に記載の三脚。
【請求項５】
ＵＶ光を照射する照射部と、前記照射部からのＵＶ光を外部に出す照射口に設けられた円錐レンズと、を備え、前記円錐レンズを下方に向けた姿勢で前記基部に直接的または間接的に着脱可能に取り付けられるＵＶライトを具備する請求項１乃至請求項４のいずれか１項に記載の三脚。
【請求項６】
雲台に着脱可能であり、棒部、前記棒部の端部に設けられた把持部、及び、前記把持部の前記棒部の軸方向の両端の少なくとも一方に設けられたパン棒用蓄光部を具備するパン棒。
【請求項７】
三脚の脚の先端に着脱可能であり、少なくとも一部に石突用蓄光部を含む石突。
【発明の詳細な説明】
【技術分野】
【０００１】
本発明は、カメラ等を支持する三脚、この三脚に用いられるパン棒、及び、この三脚に用いられる石突に関する。
【背景技術】
【０００２】
カメラやビデオカメラによる影時に、カメラを支持する三脚が用いられる場合がある。三脚は、カメラが着脱可能に取り付けられる雲台と、３本の脚と、を有している。このような三脚では、３本の脚のそれぞれの開脚角度を変更可能に構成されたものがある（例えば、特許文献１参照）。
【先行技術文献】
【特許文献】
【０００３】
【特許文献１】特開２０１６−２１８２８３号公報
【発明の概要】
【発明が解決しようとする課題】
【０００４】
三脚には、以下の問題があった。すなわち、天体を撮影する場合等、暗い環境下で撮影する場合では、撮影者の三脚の視認性が低下し、撮影者が移動する際に三脚の脚に気付かず、三脚の脚に接触する場合がある。
【０００５】
この為、本発明の三脚は、暗い環境下での使用時の安全性を向上できる三脚を提供することである。
【課題を解決するための手段】
【０００６】
本発明の一態様に係る三脚は、基部と、前記基部に回転可能に支持される３本の脚と、
前記脚のそれぞれの先端に設けられ、少なくとも一部に石突用蓄光部を含む石突と、を備える。
【０００７】
本発明の一態様に係るパン棒は、雲台に着脱可能であり、棒部、前記棒部の端部に設けられた把持部、及び、前記把持部の前記棒部の軸方向の両端の少なくとも一方に設けられたパン棒用蓄光部を備える。
【０００８】
本発明の一態様に係る石突は、三脚の脚の先端に着脱可能であり、少なくとも一部に石突用蓄光部を含む。
【発明の効果】
【０００９】
本発明によれば、三脚に接触することを防止できるので、安全性を向上することができる。
【図面の簡単な説明】
【００１０】
【図１】本発明の一実施形態に係る三脚を示す側面図。
【図２】同三脚の雲台及びその近傍を示す側面図。
【図３】同三脚の基部の下端部及びライトを示す断面図。
【図４】同三脚の脚の下端部を示す断面図。
【図５】同脚の第１の脚部材及び第２の脚部材を一体に固定するロック機構を示す断面図。
【図６】同雲台のパン棒を示す断面図。
【図７】同雲台のパンストッパを示す断面図。
【発明を実施するための形態】
【００１１】
本発明の一実施形態に係る三脚１０を、図１乃至図７を用いて説明する。図１は、三脚１０を示す側面図である。図２は、三脚１０の要部を示す側面図である。図２は、具体的には、雲台７０及びその近傍を示している。図３は、三脚１０の基部２１の下端部及びライト６０を示す断面図である。図４は、三脚１０の脚３０の下端部を示す断面図である。図５は、脚３０の第１の脚部材３２及び第２の脚部材３３を一体に固定するロック機構３８を示す断面図である。図６は、雲台７０に取り付けられたパン棒７３を示す断面図である。図７は、雲台７０のパンストッパ８０を示す断面図である。
【００１２】
三脚１０は、図１に示すように、３本の脚３０を有する脚部２０と、脚部２０の上部に着脱可能に取り付けられる雲台７０と、雲台７０に着脱可能に取り付けられた２つのパン棒７３と、を有している。脚部２０は、図１及び図２に示すように、基部２１と、基部２１に設けられ、雲台７０の高さ位置を調整可能な昇降棒２４と、基部２１に回転可能に支持された３本の脚３０と、脚３０のそれぞれの下端に着脱可能に取り付けられた石突３５と、基部２１に直接的または間接的に着脱可能に取り付けられるライト６０と、を有している。
【００１３】
基部２１は、例えば、筒状の部材から形成されている。基部２１の外周部には、脚３０を回転可能に支持する脚支持部２２が３つ形成されている。３つの脚支持部２２は、基部２１の軸線回りに等間隔に配置されている。脚支持部２２は、脚３０の上端部が、例えば軸部材により、基部２１の軸線に直交する回転軸回りに回転可能に連結されている。脚３０は、回転軸回りに回転されることにより、基部２１の軸線に対する傾斜角度が変更可能となる。換言すると、脚３０の開脚角度を変更可能となる。昇降棒２４は、筒状に形成されており、基部２１の軸線に沿って移動可能に基部２１内に支持されている。昇降棒２４の上端は、雲台７０を着脱可能に取り付け可能に構成されている。昇降棒２４の内周面の下端部には、図３に示すように、ライト６０を着脱可能に取り付ける構造の一例として、ライト６０が螺合可能な雌ねじ２３が形成されている。
【００１４】
脚３０は、図１及び図２に示すように、伸縮可能に構成されている。脚３０は、伸縮可能となる構成の一例として、例えば、径の異なる複数の筒状部材を有している。径の小さい筒状部材が、径の大きい筒状部材内にその軸方向に移動可能に配置されている。脚３０は、複数の筒状部材のそれぞれが軸方向に移動することにより、伸縮可能となる。
【００１５】
脚３０は、本実施形態では一例として、筒状の第１の脚部材３２と、第１の脚部材３２よりも径が大きい筒状の第２の脚部材３３と、第２の脚部材３３よりも径の大きい筒状の第３の脚部材３４と、を有している。第３の脚部材３４の上端部は、図２に示すように、基部２１の脚支持部２２に連結されている。第２の脚部材３３は、その一部が第３の脚部材３４内に収容されている。
【００１６】
第１の脚部材３２は、その一部が第２の脚部材３３内に収容されている。第１の脚部材３２の下端部には、図４に示すように、石突３５が着脱可能に取り付けられる雌ねじ部３６が形成されている。雌ねじ部３６は、第１の脚部材３２内に、雌ねじが形成された筒状部材３７が固定されることにより、構成されている。筒状部材３７の外周面の下端部には、フランジ３７ａが形成されている。フランジ３７ａは、第１の脚部材３２の下端より下方に位置している。フランジ３７ａの径は、第１の脚部材３２の内径よりも大きい。
【００１７】
脚３０は、図１に示すように、径方向に隣接した２つの筒状部材を固定するロック機構３８を有している。本実施形態では、第３の脚部材３４の下端部に、第３の脚部材３４と第２の脚部材３３とを一体に固定可能なロック機構３８が設けられている。第２の脚部材３３の下端部に、第２の脚部材３３と第１の脚部材３２とを一体に固定可能なロック機構３８が設けられている。
【００１８】
ロック機構３８は、図５に示すように、撮影者により操作される操作部３９を有している。操作部３９が操作されることにより、固定された状態と固定が解除された状態とが切り替えられる。ロック機構３８による固定が解除された状態となると、脚３０の長さが調整可能となる。本実施形態では、ロック機構３８の操作部３９は、手動で操作できるナットである。操作部３９が締められることにより、径方向に隣接する２つの筒状部材が互いに固定される。
【００１９】
操作部３９の外周面４０には、周方向に延びる溝４１が形成されている。溝４１は、一例として、環状に形成されている。また、溝４１は、一例として２つ形成されている。溝４１の底部４２には、第１の蓄光部（ロック機構用蓄光部）４３が形成されている。第１の蓄光部４３は、蓄光することにより、発光可能に形成されている。第１の蓄光部４３は、例えば、蓄光材料を含むテープ４４を溝４１の底面４５に固定することにより、構成されている。蓄光材料は、蓄光することにより発光可能な材料である。テープ４４は、例えば帯状に形成され、第１の蓄光部４３は、溝４１に沿って一周連続する環状に形成されている。
【００２０】
石突３５は、図４に示すように、例えばゴムにより形成された石突本体５０と、石突本体５０の上端に設けられ、蓄光することにより発光可能な第２の蓄光部（石突用蓄光部）５１と、第２の蓄光部５１の上端に設けられた透明な第１の環状部材５２と、第１の環状部材５２の上端に設けられた第２の環状部材５３と、を有している。
【００２１】
石突本体５０は、下端面が円錐面に形成された円柱状に形成されている。また、石突本体５０には、石突３５を第１の脚部材３２の雌ねじ部３６に螺合可能なねじ５４が設けられている。ねじ５４は、頭５５、及び、ねじ部５６の一部が、石突本体５０内に収容されている。ねじ５４は、ねじ部５６の軸線が石突本体５０と同軸に配置されている。ねじ部５６の残りの部分は、石突本体５０の上端面から上方に突出している。石突３５は、ねじ部５６が第１の脚部材３２の雌ねじ部３６に螺合することにより、第１の脚部材３２に取り付けられる。なお、ねじ５４と雌ねじ部３６とを用いた取り付け構造は、石突き３５を第１の脚部材３２に着脱可能に取り付ける構造の一例である。
【００２２】
第２の蓄光部５１は、一例として、蓄光材料を含む環状のシート５１ａを、第１の環状部材５２の石突本体５０側の端面に固定することにより、構成されている。第２の蓄光部５１は、第１の環状部材５２と同軸に配置されている。第２の蓄光部５１は、内側にねじ５４のねじ部５６を配置している。第２の蓄光部５１は、例えば、石突３５の上端面の外径より若干小径に形成されている。
【００２３】
第１の環状部材５２は、石突本体５０と同軸に配置されている。第１の環状部材５２は、第２の蓄光部５１が発する光を透過可能に形成されている。また、第１の環状部材５２は、外部からの紫外線を含む光を透過可能に形成されている。第１の環状部材５２は、断面が台形状に形成されている。第１の環状部材は、換言すると、下端から軸方向に中途部までは外径が一定であり、この中途部から上端に向かい外径が漸次縮径する形状に形成されている。
【００２４】
第２の環状部材５３は、石突本体５０と同軸に配置されている。第２の環状部材５３は、その外径が、第１の環状部材５２の上端の外径と同径に形成されている。また、第２の環状部材５３は、内部に、筒状部材３７のフランジ３７ａを配置可能な凹部５７が形成されている。凹部５７は、平面視で円形に形成されている。凹部５７の内径は、フランジ３７ａの外径と略同径に形成されている。
【００２５】
本実施形態では、石突本体５０と、第１の環状部材５２と、第２の環状部材５３とは、互いに別部材であり、石突本体５０のねじ部５６が第１の脚部材３２の雌ねじ部３６に螺合することにより、第１の環状部材５２と第２の環状部材５３とが、石突本体５０と脚３０との間に挟持されて固定される。他の例では、シート５１ａが石突本体５０に固定され、第１の環状部材５２がシート５１ａに固定され、第２の環状部材５３が第１の環状部材５２に固定されてもよい。
【００２６】
ライト６０は、図２及び図３に示すように、昇降棒２４の下端部に着脱可能に取り付けられる。ライト６０は、昇降棒２４に着脱可能取り付けられることにより、基部２１に間接的に着脱可能に取り付けられる。ライト６０は、一例として、紫外線（ＵＶ光）を照射可能なＵＶライトである。ライト６０は、ハウジング６１と、ハウジング６１内に収容された照射部６２と、照射口６２ａに設けられた円錐レンズ６３と、を有している。
【００２７】
ハウジング６１は、ライト６０の外郭を規定する外郭部である。ハウジング６１は、筒状に形成されている。ハウジング６１の一端部には、昇降棒２４に着脱可能に取り付け可能な構造の一例として、昇降棒２４の内周面に形成された雌ねじ２３に螺合可能なねじ部６４が形成されている。ハウジング６１は、昇降棒２４と同軸に配置される。照射部６２は、ＵＶを照射可能に構成されている。照射部６２は、例えば、光源と、電池等の電源部と、これらを収容するハウジング６２ｂと、等を有している。照射口６２ａは、紫外線を外部に出す口である。照射口６２ａは、本実施形態では、ハウジング６２ｂに形成されている。例えば、ハウジング６２ｂを有していない構造の場合には、照射口６２ａは、ハウジング６１に形成されてもよい。
【００２８】
円錐レンズ６３は、ハウジング６１の他端部に位置している。円錐レンズ６３は、その光軸が、例えば、ハウジング６１と同軸に配置される。円錐レンズ６３の光軸は、ライト６０が昇降棒２４に取り付けられた状態において、例えば基部２１の軸線Ｌと同軸に配置される。円錐レンズ６３は、昇降棒２４が最下端位置にあって、さらに、脚３０の開脚角度がいずれの開脚角度であっても、脚部材３３，３４を互いに固定するロック機構３８の操作部３９よりも、高い位置に位置している。円錐レンズ６３は、昇降棒２４がいずれの高さ位置にあってもすなわち円錐レンズ６３がいずれの高さ位置にあっても、かつ、脚３０がいずれの長さであっても、閉じた状態、最大に開いた状態、及びそれら２つの状態の間の開き状態の３本の脚３０のそれぞれの石突３５の第２の蓄光部５１と２つの操作部３９の第１の蓄光部４３とに、紫外線を照射可能に形成されている。
【００２９】
雲台７０は、図１及び図２に示すように、昇降棒２４の上端に、基部２１の軸線Ｌ回りに回転可能に着脱可能に取り付けられている。雲台７０は、一例として、３ウェイ雲台である。雲台７０は、この雲台７０に取り付けられるカメラ等の機材を、基部２１の軸線Ｌに直交する第１の回転軸Ｌ１、並びに、基部２１の軸線Ｌ及び第１の回転軸Ｌ１に直交する第２の回転軸Ｌ２回りに、回転可能に構成されている。
【００３０】
雲台７０は、具体的には、軸線Ｌ及び第１の回転軸Ｌ１回りに回転可能な第１の回転部７１と、第１の回転部７１に第２の回転軸Ｌ２回りに回転可能に設けられ、カメラ等の機材が取り付け可能に形成された第２の回転部７２と、を有している。
【００３１】
一方のパン棒７３は、第１の回転部７１に着脱可能に取り付けられている。パン棒７３は、図６に示すように、第１の回転部７１に端部が着脱可能に取り付けられる棒部７４と、棒部７４の端部に設けられた把持部７５と、把持部７５の、棒部７４の軸方向の両端の少なくとも一方に設けられ、蓄光することにより発光可能な第３の蓄光部（操作部用蓄光部、パン棒用蓄光部）７６と、第３の蓄光部７６に設けられた、透明な材料から形成された第３の環状部材７７と、第３の環状部材７７に設けられた第４の環状部材７８と、を有している。
【００３２】
棒部７４は、その一端部の外周面にねじが形成されている。棒部７４は、このねじにより、第１の回転部７１に着脱可能に取り付けられる。このねじは、パン棒７３を雲台７０に着脱可能とする取り付け構造の一例である。把持部７５は、棒部７４の他端部に設けられている。把持部７５は、使用者が握りやすい形状に形成されている。把持部７５は、例えば、略円筒状であって、その外径が軸方向の両端から軸方向の中途部に向かうにつれて漸次大きくなる形状に形成されている。
【００３３】
第３の蓄光部７６は、本実施形態では、一例として、把持部７５の両端に設けられている。第３の蓄光部７６は、例えば、蓄光材料を含むシート７６ａが把持部７５の両端に固定されることにより、構成されている。シート７６ａは、環状に形成されている。シート７６ａは、把持部７５の両端の外径よりも小径に形成されている。
【００３４】
第３の環状部材７７は、第３の蓄光部７６が発する光を透過可能に形成されている。また、第３の環状部材７７は、外部からのＵＶ等の光を透過可能に形成されている。第３の環状部材７７の外径は、例えばシートの外径と同径である。第３の環状部材７７の端面の外周部には、環状の溝７７ａが形成されている。
【００３５】
第４の環状部材７８は、溝７７ａに配置されており、第３の環状部材７７に固定されている。第４の環状部材７８は、例えば、溝７７ａに嵌合することにより、第３の環状部材７７に固定されている。
【００３６】
他方のパン棒７３は、一方のパン棒７３と同じである。他方のパン棒７３は、第２の回転部７２着脱可能に取り付けられている。具体的には、他方のパン棒７３の棒部７４が第２の回転部７２に着脱可能に取り付けられる。第２の回転部７２に設けられる、パン棒７３を着脱可能に取り付ける構造は、第１の回転部７１と同じ構造である。
【００３７】
また、雲台７０は、図１に示すように、第１の回転部７１及び第２の回転部７２を固定するパンストッパ８０を有している。パンストッパ８０は、使用者により操作可能な操作部８１を有している。操作部８１は、例えば、回転可能に形成されたノブである。操作者が操作部８１を回転することにより、第１の回転部７１の第１の回転軸Ｌ１回りの回転、及び、雲台７０の基部２１の軸線Ｌ回りの回転が固定される。すなわち、回転しないように固定される。
【００３８】
操作部８１は、図７に示すように、円柱状に形成された操作部本体８２と、操作部本体８２の端面に設けられた、蓄光することにより発光可能な第４の蓄光部（操作部用蓄光部）８３と、第４の蓄光部８３上に設けられた透光部８４と、透光部８４に設けられた第５の環状部材８５と、を有している。
【００３９】
操作部本体８２の端面の中央部には、円形の凹部８６が形成されている。第４の蓄光部８３は、凹部８６の底部に設けられている。第４の蓄光部８３は、例えば、蓄光材料を含むシート８３ａが凹部８６の底面８６ａに固定されることにより、構成されている。シート８３ａは、例えば円形に形成されている。
【００４０】
透光部８４は、凹部８６内に固定される円板状に形成されている。透光部８４は、第４の蓄光部８３が発する光を透過可能に形成されている。また、外部からのＵＶ等の光を透過可能に形成されている。透光部８４は、例えば、凹部８６の内周面に嵌まることにより、凹部８６内に固定される。透光部８４の端面の外周部には、環状の溝８４ａが形成されている。第５の環状部材８５は、溝８４ａに嵌まる形状に形成されている。
【００４１】
次に、三脚１０の使用方法の一例を説明する。夜間等、暗い環境下で撮影を行う際において、蓄光部４３，５１，７６，８３が発光していない場合では、昇降棒２４の下端部に取り付けられたライト６０をオンし、紫外線を照射する。ライト６０より照射された紫外線は、円錐レンズ６３により拡散され、３本の脚３０のそれぞれの石突３５と３本の脚３０のそれぞれの２つの操作部３９に照射される。３本の脚３０のそれぞれの第２の蓄光部５１と全ての第１の蓄光部４３は、ライト６０からの紫外線を蓄光し、発光する。
【００４２】
また、撮影者は、ライト６０を昇降棒２４から取り外し、雲台７０の２つのパン棒７３の第３の蓄光部７６と、雲台７０のパンストッパ８０の第４の蓄光部８３に照射する。それぞれの蓄光部は、紫外線が照射されると蓄光し、発光する。撮影者は、蓄光部５１，７６，８３が発光したことを確認すると、ライト６０による紫外線の照射を停止する。
【００４３】
このように構成された三脚１０は、石突３５に第２の蓄光部５１が形成されている。撮影者は、暗い環境下でも、第２の蓄光部５１の発する光を視認することにより、脚３０の位置を認識できるので、移動する際に脚３０に接触することを防止できる。この為、暗い環境下での使用時の安全性を向上することができる。さらに、第２の蓄光部５１は、石突本体５０の上端に設けられているので、視認しやすい。
【００４４】
さらに、操作部３９に第１の蓄光部４３が形成され、パン棒７３に第３の蓄光部７６が形成され、パンストッパ８０に第４の蓄光部８３が形成されている。このように、三脚１０の操作部に蓄光部が形成されることにより、撮影者は、蓄光部の発する光により暗い環境下でも操作部の位置を認識できるので、操作部の操作性が向上する。
【００４５】
さらに、パン棒７３は、把持部７５の両端面のそれぞれに第３の蓄光部７６が形成されている。この為、撮影者は、いずれの角度からでも、パン棒７３のいずれか一方の第３の蓄光部７６の燐光を視認できるので、いずれの角度からでもパン棒７３の位置を認識できる。
【００４６】
なお、本実施形態では、ライト６０は、一例としてＵＶライトが用いられたが、これに限定されない。ライト６０は、例えば、ＬＥＤライトや懐中電灯であってもよい。この場合であっても、円錐レンズ６３は、昇降棒２４に取り付けられたライト６０が照射する光を、昇降棒２４がいずれの高さ位置にあってもすなわち円錐レンズ６３がいずれの高さ位置にあっても、３本の脚３０がいずれの長さであっても、かつ、３本の脚３０の開脚角度がいずれの開脚角度であっても、３本の脚３０のそれぞれの第２の蓄光部５１と３本の脚３０のそれぞれの２つの操作部３９の全ての第１の蓄光部４３に照射可能となるように、照射口に設けられる。
【００４７】
また、本実施形態では、ライト６０は、基部２１に間接的に着脱可能に取り付けられたが、基部２１に直接的に着脱可能に取り付けられてもよい。
【００４８】
また、本実施形態では、ロック機構３８は、一例として、脚ロックナットが用いられたが、これに限定されない。例えば、ロック機構３８は、操作部としてレバーを有する脚ロックレバーであってもよい。この場合、操作部であるレバーに、蓄光部が形成される。
【００４９】
また、本実施形態では、パン棒７３は、把持部７５の両端のそれぞれに、第３の蓄光部７６が設けられたが、これに限定されない。パン棒７３は、把持部７５の少なくとも一端に形成されればよい。
【００５０】
また、本実施形態では、蓄光部は、蓄光材料を含むテープ、または、蓄光材料を含むシートにより構成されたが、これに限定されない。例えば、蓄光部は、蓄光材料を含む塗料を塗布することにより構成されてもよい。この例としては、石突３５の第１の環状部材５２の石突本体５０側の端面に蓄光材料を含む塗料を塗布することにより、第２の蓄光部５１が構成されてもよい。または、蓄光部は、蓄光材料を含むインキを印刷することにより構成されてもよい。
【００５１】
または、蓄光部は、操作部や石突を構成する、樹脂材料により形成される部品を、蓄光材料を含む樹脂材料により形成することにより、構成されてもよい。この場合、蓄光材料を含む樹脂材料により形成された部分が、蓄光部となる。この例としては、第１の環状部材５２を、蓄光材料を含む樹脂材料で形成することがある。この場合、第１の環状部材５２が蓄光部となる。第３の環状部材７７、透光部８４であっても同様である。他の例としては、石突本体５０を、蓄光材料を含む材料から形成してもよい。この場合、石突本体５０が蓄光部となる。さらに、石突３５、操作部３９、パン棒７３、及び、パンストッパ８０のそれぞれの蓄光部の場所は、限定されない。例えば、第１の蓄光部４３は、溝４１以外に設けられてもよい。石突３５、操作部３９、パン棒７３、及び、パンストッパ８０は、それぞれ、少なくとも一部に蓄光部を含んでいればよい。
【００５２】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００５３】
１０…三脚、２０…脚部、２１…基部、３０…脚、３２…第１の脚部材、３３…第２の脚部材、３４…第３の脚部材、３５…石突、３８…ロック機構、３９…操作部、４３…第１の蓄光部（ロック機構用蓄光部）、４４…テープ、５０…石突本体、５１…第２の蓄光部（石突用蓄光部）、５１ａ…シート、６０…ライト、６２…照射部、６２ａ…照射口、６３…円錐レンズ、７０…雲台、７３…パン棒、７４…棒部、７５…把持部、７６…第３の蓄光部（操作部用蓄光部、パン棒用蓄光部）、７６ａ…シート、８０…パンストッパ、８１…操作部、８３…第４の蓄光部（操作部用蓄光部）、８３ａ…シート。
【図１】
2018138976.tif 000003
【図２】
2018138976.tif 000004
【図３】
2018138976.tif 000005
【図４】
2018138976.tif 000006
【図５】
2018138976.tif 000007
【図６】
2018138976.tif 000008
【図７】
2018138976.tif 000009